(57)【要約】      （修正有）【課題】筐体内の発熱電気部品を効率良く冷却し、部品点数を減らしてコストダウンを図ることができる電子装置を提供する。【解決手段】電子装置１は、発熱電気部品８２を収納する筐体２と、筐体２内に収容され、対向する２側面部を有する枠状を成し、２側面部の１側の端が筐体２の内面に密着する枠体１１と、筐体２内を、本体部を収容する機械室２ａおよび外気が流通可能な風路室２ｂに区画し、風路室２ｂにあっては筐体２の内面および枠体１１の２側面部と協同してこれを形成し、発熱電気部品８２を風路室２ｂに露呈する状態に搭載する回路基板８１と、吸気側が風路室２ｂに連通するように設けられた冷却ファン１３とを有する。【選択図】図１
2006108325.tif 000002
【特許請求の範囲】
【請求項１】
少なくとも電気部品を収納する筐体と、
前記筐体内に収容され、少なくとも対向する２側面部を有する枠状を成し、前記２側面部の１側の端が前記筐体の内面に接する枠体と、
前記筐体内を、本体部を収容する機械室および外気が流通可能な風路室に区画し、該風路室にあっては前記筐体の内面および前記枠体の２側面部と協同してこれを形成し、前記発熱電気部品を前記風路室に露呈する状態に搭載する回路基板と、
吸気側が前記風路室に連通するように設けられた冷却ファンと
を有することを特徴とする電子装置。
【請求項２】
前記本体部は、ディスクを回転するディスク回転駆動手段、前記ディスクに記録された情報を再生する再生手段および該再生手段を前記ディスクに対して相対的に移動させる移動手段を有する
ことを特徴とする請求項２に記載の電子装置。
【請求項３】
前記枠体は、前記回路基板の周縁部に沿うように形成されている
ことを特徴とする請求項１または２に記載の電子装置。
【請求項４】
前記冷却ファンは、前記枠体に配設され、前記回路基板は、前記発熱電気部品の位置より前記冷却ファンの吸気側に近い位置に開口形成され前記冷却ファンの吸気側を前記風路室に連通させる通風孔を有する
ことを特徴とする請求項１または２に記載の電子装置。
【発明の詳細な説明】
【技術分野】
【０００１】
本発明は、筐体内に回路基板が収納された電子装置に関し、特にこのような電子装置の冷却構造に関するものである。
【背景技術】
【０００２】
筐体内に回路基板が収納された電子装置として、例えばＤＶＤ（Digital Versatile Disk）やＣＤ（Compact Disc）などの光ディスクを再生あるいは記録・再生するディスク装置が広く利用されている。このようなディスク装置は、一般に略箱状の筐体を有しており、この筐体内には、光ディスクを回転させるディスク回転駆動手段と、光ディスクに情報を記録あるいは記録された情報を再生する光ピックアップを有した再生手段と、この再生手段を光ディスクに対して相対的に移動させる図示しない移動手段とが収納されている。一般にこのような各種駆動手段を制御する電気部品は、動作する際に発熱する。
【０００３】
この熱は、誤動作の原因となるほか、耐久性を落とす原因になるので積極的に放熱する必要がある、一方、上述のような各種駆動手段は、非常に小さく且つ精密な機構を有しているので、粉塵の侵入に弱く、そのため、確実性の高い防塵対策を必要とする。
【０００４】
図９は従来の電子装置を示す側断面図である。図１０は図９のXI-XI線に沿う矢視断面図である。図１１は図９のX-X線に沿う矢視断面図である。図９から図１１において、従来の電子装置１０１は、筐体２の内部に枠体１１を収納している。枠体１１は、軸方向、つまり図９および図１１の上下方向の両端面を開口する概略四角枠状の形状を成している。枠体１１に囲まれて回路基板８１が配設されている。回路基板８１には、電気部品８２が搭載されている。
【０００５】
回路基板８１は、筐体２の内部を機械室２ａと風路室２ｂとに区画する仕切板の働きをしている。機械室２ａには、例えば上述の各種駆動手段のような電子装置１０１の主要部を構成する図示しない本体部が収納されている。図１０および図１１に示されるように、回路基板８１と筐体２の底面との間には、スポンジ或いはウレタン等で作製された１対の軟質部材９２が筐体２の長手方向に延設されている。そして、筐体２の底面、１対の軟質部材９２および回路基板８１の３者が協同して風路室２ｂを形成している。風路室２ｂには、連結路１６を介して冷却ファン１３が連通している。
【０００６】
回路基板８１には、発熱部品である電気部品８２が風路室２ｂに露呈するように搭載されているとともに、冷却風が通過する貫通穴８３が形成されている。冷却ファン１３が作動すると、図中矢印のように外部の空気が風路室２ｂに吸引され、風路室２ｂ内部を冷却風として流通する。電気部品８２は風路室２ｂに露呈しているので、冷却風によって冷却される。
【０００７】
このような構成の電子装置１０１においては、回路基板８１を仕切板として利用するとともに、当該回路基板８１に搭載された電気部品８２を風路室２ｂに露呈させて冷却風により冷却するので、回路基板８１および電気部品８２を効率良く冷却することができる（例えば、特許文献１参照）。
【０００８】
【特許文献１】特開２００３−１０００６９号公報
【発明の開示】
【発明が解決しようとする課題】
【０００９】
上記図９から図１１に示すような構造の従来の電子装置１０１は、作製過程において回路基板８１の裏面に軟質部材９２を貼り付けなくてはならない。この作業は貫通穴８３や電気部品８２をはじめとする回路基板８１上の図示しない構造物に干渉しないように貼り付けなければならない難しい作業である。そのため、この点を改良し、できれば軟質部材９２を必要とせずに同様の効果が得られるような改善が求められている。
【００１０】
本発明は、このような問題点に鑑みてなされたもので、筐体内の回路基板およびこの回路基板に搭載された電気部品を効率良く冷却することができるとともに、部品点数を減らしてコストダウンを図ることができる電子装置を提供することを目的とする。
【課題を解決するための手段】
【００１１】
上述した課題を解決し、目的を達成するために、請求項１の電子装置は、少なくとも発熱電気部品を収納する筐体と、筐体内に収容され、少なくとも対向する２側面部を有する枠状を成し、２側面部の１側の端が筐体の内面に密着する枠体と、筐体内を、本体部を収容する機械室および外気が流通可能な風路室に区画し、風路室にあっては筐体の内面および枠体の２側面部と協同してこれを形成し、発熱電気部品を風路室に露呈する状態に搭載する回路基板と、吸気側が風路室に連通するように設けられた冷却ファンとを有することを特徴とする。
【発明を実施するための最良の形態】
【００１２】
以下に、本発明にかかる電子装置の実施の形態を図面に基づいて詳細に説明する。なお、この実施の形態によりこの発明が限定されるものではない。以下では、本発明の電子装置の構成上の特徴を実施の形態として説明し、その後に電子装置に関する実施例を説明する。
【００１３】
［実施の形態］
図１は本発明の本実施の形態の電子装置を示す側断面図である。図２は図１のII-II線に沿う矢視断面図である。図３は図１のIII-III線に沿う矢視断面図である。図１から３において、本実施の形態の電子装置１は箱状の筐体２の内部に枠体１１を収納している。枠体１１は、軸方向、つまり図１および図３の上下方向の両端面を開口する概略四角枠状の形状を成している。筐体２の内部には、枠体１１に囲まれて回路基板８１が配設されている（図２の薄墨で塗りつぶしの部分）。回路基板８１には、発熱部品である電気部品８２が搭載されている。
【００１４】
回路基板８１は、筐体２の内部を機械室２ａと風路室２ｂとに区画する仕切板の働きをしている。機械室２ａには、この電子装置１の主要部を構成する図示しない本体部が収納されている。図３に示されるように、枠体１１の対向する２側面部の風路室２ｂ側の端は、筐体２の底面方向に延び、全長にわたって筐体２の底面に密着している。一方、回路基板８１の周縁部８１ａは、枠体１１の当該２側面部に、取付けリブを介して接続されている。そして、筐体２の底面、枠体１１の２側面部および回路基板８１の３者が協同して上述の風路室２ｂを形成している。
【００１５】
回路基板８１は、電気部品８２を風路室２ｂに露呈するように搭載している。風路室２ｂには、連結路１６を介して冷却ファン１３が連通している。冷却ファン１３が作動すると、風路室２ｂ内部が減圧され、図中矢印のように外部の空気が風路室２ｂに吸引される。そして、風路室２ｂ内部を冷却風として流通する。電気部品８２は風路室２ｂに露呈しているので、この冷却風によって冷却される。
【００１６】
このような構成の電子装置１においては、回路基板８１を仕切板に利用して風路室２ｂを形成するとともに、当該回路基板８１に搭載された電気部品８２を風路室２ｂに露呈させるので、風路室２ｂを流通する外気によって回路基板８１および電気部品８２が効率良く冷却する。そして、さらに、従来、風路室２ｂを形成するために用いていた軟質部材を削減することができ、部品点数を減らしてコストダウンを図ることができるとともに、軟質部材を貼り付ける作業が無くなるので組立工程が削減され、さらにコストダウンを図ることができる。
【００１７】
また、回路基板８１の周縁部８１ａは半円形や矩形に切り込みが設けられ（図２において半円形の切り込みのみを記している）複雑な形状を成しているが、枠体１１は回路基板８１の周縁部８１ａに沿うように形成されている。これにより、風路室２ｂは密閉された空間とされ、粉塵の進入をより確実に遮断する。
【実施例】
【００１８】
この実施例は、本発明の電子装置に係る一実施例として、本発明の構成をディスク装置に適応したものである。
図４は本発明の電子装置に係る一実施例であるディスク装置の斜視図である。図５は図４に示されたディスク装置の構成を示す分解斜視図である。図６は図４に示されたディスク装置の一部を削除した平面図である。図７は枠体を筐体の下面側から見た風路室および風路室を流れる冷却風の様子を示す斜視図である。図８は図７と同じ方向から見た回路基板の様子を示す斜視図である。
【００１９】
ディスク装置１は、概略矩形扁平状で直方体状の金属製の筐体２を有している。筐体２は、それぞれ２つの大面積面、中面積面および小面積面を有している。尚、説明に際して、図中上方の大面積面を上面、図中下方の大面積面を下面、２つの中面積面部を側面、図４の場合、図中左側の小面積部を前面、これに対向する図中右側の小面積部を裏面と呼ぶ。同じように、図の上方を上、図の下方を下と呼ぶ。他の図もこれに倣う。しかしながら、これは便宜上このように呼ぶと解り易くなるからであって、この呼称は装置が設置される際の方向、或いは動作する際の方向を限定するものではない。
【００２０】
図５において、筐体２は、下面および前面が２面にわたって開口する上筐体３と、この上筐体３の下面を閉塞する下筐体４と、上筐体３の前面を閉塞するベゼル５とを有している。ベゼル５には、スイッチ操作部５ｂと動作確認窓５ｃとが設けられている。また、ベゼル５の下方には、外部の空気を流入するスリット状の空気流入口５ｄが、ベゼル５の左右方向に延びて穿孔されている。
【００２１】
上筐体３は、天板部３ａと、天板部３ａの長手方向の両側縁に略垂直に折曲形成された側板部３ｂ，３ｂと、天板部３ａの長手方向の一端縁に側板部３ｂ，３ｂと同方向に略垂直に折曲形成された端板部３ｃとで構成され、下面および前面を開口して形成されている。上筐体３の側板部３ｂ，３ｂの下端縁には、折曲形成により設けられ図示しないねじ孔が穿設された取付片部３ｄが設けられている。端板部３ｃの概略中央には、後述する冷却ファンが冷却風を外部に逃がすための排気口３ｅが穿孔されている。一方、下筐体４は、上筐体３の天板部３ａと略同じ大きさの平板状を成しており、天板部３ａの取付片部３ｄに対応した位置にねじ孔４ａと取付ダボ４ｂとが設けられている。
【００２２】
筐体２内には、合成樹脂製の略四角枠状の枠体１１が配設されている。この枠体１１は、図５から図７に示すように、上筐体３の側板部３ｂ，３ｂの内面と対向する側面部１１ａ，１１ａと、上筐体３の端板部３ｃの内面に対向する端面部１１ｂと、側面部１１ａ，１１ａおよび端面部１１ｂの内面側に内方に向けて突出する支持リブ１１ｃと、側面部１１ａ，１１ａの端面部１１ｂと反対側の端部に架橋するように設けられた開閉駆動配設部１１ｄとを有し、軸方向の両端面を開口する略四角枠状に形成されている。また、枠体１１の側面部１１ａ，１１ａには、上筐体３の取付片部３ｄおよび下筐体４の取付ダボ４ｂ間に挾持されてねじ止めされる取付リブ部１１ｅが設けられている。本実施の形態の枠体１１の側面部１１ａ，１１ａは、取付リブ部１１ｅをねじ止めされて下筐体４に締着される際、全長にわたって隙間なく密着する形状とされている。
【００２３】
ここで、略四角枠状の枠体１１の「枠状」の語句は、所定の空間を所定の高さの壁面にて囲繞する形状を表すことに使用している。そして、本実施の形態の枠体１１のようにベゼル５側の壁面が他の３つの壁面より軸方向の高さが低くするものは当然含み、また、周囲を完全に囲繞するものに限らず部分的に切断されているものも含む。つまり、本実施の形態の枠体１１は、軸方向の両端面を開口する略四角枠状に形成されているが、周囲を完全に囲繞するものに限らず部分的に切断されているものであっても概略同様な効果を得ることができる。
【００２４】
さらに、枠体１１には、ダクト部１２が設けられている。このダクト部１２は、端面部１１ｂの外面側略中央に、開口を外方に向ける凹状のダクト凹部１２ａと、このダクト凹部１２ａに連通し、端面部１１ｂから突出する支持リブ１１ｃの下面側に一体的に連続して突設されたダクトフード部１２ｂとを有している。
【００２５】
そして、この枠体１１には、端面部１１ｂのダクト凹部１２ａに位置して冷却ファン１３が配設されている。この冷却ファン１３は、ダクト凹部１２ａの開口縁から突設されたリブ１４により支持され、吸気側がダクト凹部１２ａに略気密に連通する状態で配設される。
【００２６】
また、この枠体１１には、本体部２０が配設されている。この本体部２０は、例えば金属製の平板枠状に形成された台座部２１を有している。この台座部２１は、図５および図６に示すように、枠体１１の端面部１１ｂから突出する支持リブ１１ｃに一縁が上下方向に回動可能に他縁がねじ止めされて取り付けられている。この台座部２１の一縁には、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１１の側面部１１ａから突出する支持リブ１１ｃに回動可能に軸支される一対の回動腕部２２ｂとを有している。そして、台座部２１は、回動案内部２２により、回動が案内される。
【００２７】
さらに、台座部２１には、回動する一縁側に位置してディスク回転駆動手段２５が配設されている。このディスク回転駆動手段２５は、図５および図６に示すように、例えばスピンドルモータなどの回転用電動モータ２６と、この回転用電動モータ２６の出力軸２６ａに一体的に設けられたターンテーブル２７とを有している。このターンテーブル２７は、光ディスクの中心に開口形成された軸孔に嵌挿する略円柱状の回転軸（図示せず）と、この回転軸の外周面にフランジ状に突設され光ディスクの軸孔周縁が載置される鍔部２７ｂとを有している。そして、ターンテーブル２７の回転軸の先端部には、磁石２９が埋設されている。
【００２８】
また、台座部２１には、移動手段３１が配設されている。この移動手段３１は、一対のガイドシャフト３２および移動用電動モータ３３を備えている。そして、一対のガイドシャフト３２は、台座部２１の軸支された他縁から回動側の一縁へ向けた方向に軸方向を有して配設されている。さらに、移動用電動モータ３３は、出力軸３３ａの軸方向がガイドシャフト３２の軸方向に沿う状態で配設されている。この移動用電動モータ３３の出力軸３３ａの外周面には、螺旋状に図示しない係合溝が設けられている。
【００２９】
さらに、移動手段３１には、再生手段４１が配設されている。この再生手段４１は、一対のガイドシャフト３２に架橋する状態で保持された移動保持部４２を有している。この移動保持部４２には、ガイドシャフト３２を移動可能に嵌挿する保持部４３と移動用電動モータ３３の出力軸３３ａの係合溝に係合する図示しない移動規制爪部が設けられている。また、再生手段４１の移動保持部４２には、図示しない光源と、この光源からの光を収束するレンズ４５と、光ディスクから反射された光を検出する図示しない光センサとが配設されている。
【００３０】
また、枠体１１には、図５に示すように、例えば金属板状に形成され、側面部１１ａ，１１ａ間に架橋する状態でねじにて固定される回転子支持部材５１が設けられている。この回転子支持部材５１には、略中央にディスク回転駆動手段２５のターンテーブル２７に対向する位置に上方に向けて凹状の支持凹部５２が設けられている。この支持凹部５２の略中央には、支持孔５３が開口形成されている。この回転子支持部材５１の支持凹部５２には、回転子５５が回転可能に載置されている。この回転子５５は、略円盤状で、外周縁が支持孔５３の周縁に係合可能に形成されている。また、この回転子５５には例えば金属板などの図示しない磁性材料が一体的に取り付けられ、回転子５５はターンテーブル２７の磁石２９の磁力にて光ディスクをターンテーブル２７と挾持する。
【００３１】
一方、枠体１１には、この枠体１１の内側に支持リブ１１ｃの上方側で水平方向に進退可能に移動するディスクトレイ６１が配設されている。このディスクトレイ６１は、例えば合成樹脂の板状に形成され、本体部２０のディスク回転駆動手段２５および再生手段４１に対応する部分が開口形成された略長方形板状のトレイ部６２を有している。このトレイ部６２の長手方向の一端側には、上方に向けて拡開する円形凹状で光ディスクが載置される載置凹部６２ａが設けられている。また、このトレイ部６２の長手方向の一縁には、ベゼル５と同材質にて形成され、筐体２のベゼル５の窓部５ａを閉塞する長手板状の窓閉塞板部６５が着脱可能に取り付けられている。
【００３２】
さらに、枠体１１には、開閉駆動配設部１１ｄに位置して開閉駆動手段７１が配設されている。この開閉駆動手段７１は、互いに係合して開閉駆動配設部１１ｄに回転自在に軸支された駆動伝達プーリ７２、この駆動伝達プーリ７２に係合する駆動伝達ギヤ７３、およびこの駆動伝達ギヤ７３に係合するとともにディスクトレイ６１に係合する移動ギヤ７４を有している。また、開閉駆動手段７１には、出入用電動モータ７５を備えている。この出入用電動モータ７５の出力軸７５ａには、プーリが一体的に設けられている。このプーリと駆動伝達プーリ７２とには無端ベルト７７が掛け渡され、出入用電動モータ７５の駆動により、プーリ、駆動伝達プーリ７２、駆動伝達ギヤ７３および移動ギヤ７４が回転し、ディスクトレイ６１が移動される。
【００３３】
また、開閉駆動手段７１は、枠体１１の開閉駆動配設部１１ｄに側面部１１ａ，１１ａの対向方向に沿って移動可能に配設された移動カム７８を有している。この移動カム７８は、台座部２１に一体的に取り付けられた回動案内部２２に係合するとともに、駆動伝達ギヤ７３に係合し、出入用電動モータ７５の駆動にて駆動伝達ギヤ７３が回転すると、移動カム７８が移動して台座部２１を上下方向に回動させる。なお、移動カム７８は、ディスクトレイ６１が後退して枠体１１内に位置する状態で台座部２１を上方に回動させ、ディスクトレイ６１が進退移動する際には、台座部２１が下方に回動されてディスクトレイ６１と干渉しないようになっている。そして、上述したディスク回転駆動手段２５、移動手段３１、再生手段４１および開閉駆動手段７１により、本体部２０が構成されている。
【００３４】
また、枠体１１には、図５および図７に示すように、回路基板８１が取り付けられている。この回路基板８１は、枠体１１に設けられた図示しない基板取付爪部により係脱可能に取り付けられている。回路基板８１の周縁部８１ａは、枠体１１の側面部１１ａに合致する複雑な形状を成している。図７に良く示されるように、たとえば、ディスク装置１をパソコン等に取り付ける場合に、取り付けねじと干渉してしまう部分の枠体１１は、これを避ける目的で、側面部１１ａ，１１ａに半円筒状の逃げ部１１ｆが形成されている。これにともない、回路基板８１の周縁部８１ａ側にも図８に示すように、逃げ部１１ｆの外周面に係合する半円形逃げ部８１ｂが形成されている。
【００３５】
この回路基板８１には、本体部２０の動作を制御する発熱部品としての電気部品８２を有した制御回路が搭載されている。なお、回路基板８１は、枠体１１に取り付けられた状態で、特に発熱量が多い電気部品８２が本体部２０とは反対側の筐体２の下筐体４の内面に対向する状態で取り付けられる。すなわち、回路基板８１は、枠体１１に取り付けられた状態で、筐体２内に、上方に本体部２０が配設された枠体１１が収容される機械室２ａが区画形成されるとともに、下方に回路基板８１と下筐体４の内面との間の間隙で電気部品８２が露呈する風路室２ｂが区画形成される。
【００３６】
このように、本実施例のディスク装置１においては、枠体１１は複雑な形状を成しているが、回路基板の８１の周縁部８１ａは全長にわたって枠体１１の形状に沿う形状とされている。また、枠体１１の側面部１１ａ，１１ａは、取付リブ部１１ｅをねじ止めされて下筐体４に締着される際、全長にわたって隙間なく密着する形状とされている。そのため、従来必要であった軟質部材を必要とすることなしに風路室２ｂを構築することができる。これにより、部品点数を減らしてコストダウンを図ることができるとともに、軟質部材の貼り付け作業が無くなり、組み立て工程が削減されるので、さらにコストダウンを図ることができる。枠体１１の側面部１１ａ，１１ａは、回路基板８１と協同して、図７に白抜き矢印にて示すような筐体側面方向からの粉塵の進入を抑制できる。
【００３７】
さらに、回路基板８１は、枠体１１に取り付けられた状態で、図７に示すように、枠体１１のダクト部１２のダクトフード部１２ｂの先端縁である周縁が回路基板８１に略気密に密着する状態となる。そして、回路基板８１には、通風孔８３が設けられている。この通風孔８３は、同じく図７に示すように、ダクト部１２のダクトフード部１２ｂに囲まれる位置に設けられ、回路基板８１が枠体１１に取り付けられた状態で、発熱量が比較的に多い電気部品８２より通風孔８３が冷却ファン１３の吸気側に近い位置である外気の流通方向の下流側に設けられる。この通風孔８３により、冷却ファン１３の吸気側は、ダクト部１２および通風孔８３を介して風路室２ｂに連通する。
【００３８】
また、回路基板８１には、図示しない電源線や外部の各種電気機械との信号を送受信するケーブルなどが着脱可能に接続されるコネクタ部８５が設けられている。このコネクタ部８５は、枠体１１の端面部１１ｂの外面側に位置する状態で、筐体２から外部に臨む状態で配設されている。さらに、回路基板８１には、開閉駆動手段７１の出入用電動モータ７５が特に発熱量が多い電気部品８２とは反対側である上面に一体的に取り付けられている。
【００３９】
次に動作を説明する。まず、ディスク装置１に電力を供給する。この電力の供給により、冷却ファン１３が駆動する。そして、例えば光ディスクに記録された情報を読み出す際には、まずベゼル５のスイッチ操作部５ｂが操作される。このスイッチ操作部５ｂの操作により、回路基板８１に設けられた図示しないスイッチが開閉し、回路基板８１の制御回路が開閉駆動手段７１の出入用電動モータ７５を駆動させる。この出入用電動モータ７５の駆動により、プーリ７６、駆動伝達プーリ７２、駆動伝達ギヤ７３および移動ギヤ７４が回転し、移動ギヤ７４に係合するディスクトレイ６１がベゼル５の窓部５ａから進出する方向に移動する。この移動の際、開閉駆動手段７１の移動カム７８も移動し、この移動カム７８に係合する回動案内部２２が下方に向けて回動し、台座部２１が下方に向けて回動され、本体部２０がディスクトレイ６１と干渉しないように待避する。
【００４０】
この進出したディスクトレイ６１の載置凹部６２ａに光ディスクを、この光ディスクの記録面を下方に向く状態で載置する。この後、再びベゼル５のスイッチ操作部５ｂを操作し、開閉駆動手段７１の出入用電動モータ７５を回転駆動させ、ディスクトレイ６１を窓部５ａ内に後退させる。このディスクトレイ６１の後退の際、下方に待避状態の本体部２０が台座部２１とともに移動カム７８に係合する回動案内部２２により上方に向けて移動される。この本体部２０の上方への回動により、ディスク回転駆動手段２５のターンテーブル２７の回転軸２７ａが光ディスクの軸孔に嵌挿する。さらに、ターンテーブル２７の磁石２９の磁力により、ターンテーブル２７と回転子５５との間に光ディスクが挟持固定される。
【００４１】
この状態で、回路基板８１の制御回路が本体部２０を制御し、ディスク回転駆動手段２５の回転用電動モータ２６にて回転される光ディスクに記録された情報を、移動手段３１にて適宜移動される再生手段４１の光ピックアップにて読み取る。
【００４２】
このディスク装置１の動作の際、回路基板８１の制御回路を構成する電気部品８２が発熱する。この発熱した電気部品８２の熱は、風路室２ｂを流通する冷却風により外部に放熱される。すなわち、冷却ファン１３の駆動により、冷却ファン１３の吸気側であるダクト部１２が大気圧に対して負圧状態となる。このダクト部１２の負圧状態により、ダクト部１２に通風孔８３を介して連通する風路室２ｂ内が負圧状態となる。この風路室２ｂの負圧状態により、ベゼル５に形成された空気流入口５ｄから、外気が吸気される。このように、吸気された外気は、図６および図８にも示すように、風路室２ｂを流通し、この風路室２ｂに露呈する電気部品８２と接触する。この電気部品８２と接触した外気は、熱交換により電気部品８２を冷却する。そして、熱交換にて暖められた外気は、通風孔８３を通ってダクト部１２に流通し、冷却ファン１３にて排気口３ｅから外気に排気風として排気される。
【００４３】
以上のように、本実施の形態のディスク装置は、以下に示す作用効果を奏する。
すなわち、枠体１１に配設した本体部２０の動作を制御する制御回路を構成する電気部品８２を有した回路基板８１を、本体部２０を収容する機械室２ａと冷却ファン１３の吸気側が連通し外気が流通可能な風路室２ｂとを筐体２内に区画し、電気部品８２が風路室２ｂに露呈する状態に配設する。このため、本体部２０側に塵埃が侵入することを防止しつつ、回路基板８１の電気部品８２を冷却ファン１３の駆動にて吸気され風路室２ｂを流通する外気と効率よく接触して冷却でき、回路基板８１の冷却効率を向上することができる。
【００４４】
また、回路基板の８１の周縁部８１ａは、全長にわたって枠体１１に沿った形状とされており、一方、枠体１１の側面部１１ａ，１１ａは、取付リブ部１１ｅをねじ止めされて下筐体４に締着される際、全長にわたって隙間なく密着する形状とされている。そのため、従来必要であった軟質部材を必要とすることなしに風路室２ｂを構築することができる。これにより、部品点数を減らしてコストダウンを図ることができるとともに、軟質部材の貼り付け作業が無くなり、組み立て工程が削減されるので、さらにコストダウンを図ることができる。また、枠体１１の側面部１１ａ，１１ａは、下筐体４に隙間なく密着するので、筐体２の側面方向からの粉塵をより確実に遮断し、回路基板８１と協同して機械室２ａへの粉塵の進入を抑制する。
【００４５】
そして、軸方向の両端面が開口する枠状の枠体１１の一面側に開口を密閉する状態に回路基板８１を取り付ける。このため、本体部２０が配設される枠体１１に、塵埃による不具合の発生を防止するために機械室２ａを覆う構成として回路基板８１を利用でき、別途設ける必要がなく、構造を簡略化でき、上下方向の寸法を小さくでき、製造性の向上および軽量小型化を容易に図ることができる。
【００４６】
さらに、回路基板８１に、特に発熱量が多い電気部品８２の位置より枠体１１に配設した冷却ファン１３の吸気側に近い位置に、冷却ファン１３の吸気側を風路室２ｂに連通させる通風孔８３を開口形成する。このため、冷却ファン１３が枠体１１に組み付けられ、ディスク装置１の組立形成の際に枠体１１とともに筐体２内に組み付けでき、組立製造性を向上できるとともに、確実に冷却ファン１３の駆動により吸気された外気が電気部品８２に接触する状態を得ることができ、電気部品８２を効率よく冷却できる。
【００４７】
また、枠体１１の本体部２０を支持する支持リブ１１ｃに連続して、先端縁が回路基板８１に密着して冷却ファン１３の吸気側および回路基板８１の通風孔８３を本体部２０と隔離して囲むダクト部１２を設ける。このため、冷却ファン１３の駆動により吸気側に大気圧に対する負圧を効率よく発生でき、外気が風路室２ｂから通風孔８３を介して良好に冷却ファン１３に吸気でき、電気部品８２を効率よく冷却できる。さらに、このダクト部１２は、支持リブ１１ｃに連続して設けるため、支持リブ１１ｃを利用して別途ダクト部１２の構成を設ける必要がなく、構造を簡略化でき、枠体１１の製造性の向上および軽量小型化が容易に図れる。また、ダクト部１２が回路基板８１に密着するため、がたつきも抑制できる。
【図面の簡単な説明】
【００４８】
【図１】本発明の本実施の形態の電子装置を示す側断面図である。
【図２】図１のII-II線に沿う矢視断面図である。
【図３】図１のIII-III線に沿う矢視断面図である。
【図４】本発明の電子装置に係る一実施例であるディスク装置の斜視図である。
【図５】図４に示されたディスク装置の構成を示す分解斜視図である。
【図６】図４に示されたディスク装置の一部を削除した平面図である。
【図７】枠体を筐体の下面側から見た風路室および風路室を流れる冷却風の様子を示す斜視図である。
【図８】図７と同じ方向から見た回路基板様子を示す斜視図である。
【図９】従来の電子装置を示す側断面図である。
【図１０】図９のXI-XI線に沿う矢視断面図である。
【図１１】図９のX-X線に沿う矢視断面図である。
【符号の説明】
【００４９】
１  ディスク装置
２  筐体
２ａ  機械室
２ｂ  風路室
５ｄ  空気流入口
１１  枠体
１２  ダクト部
１３  冷却ファン
１６  連結部
１７  連結部
２０  本体部
２５  ディスク回転駆動手段
３１  移動手段
４１  再生手段
８１  回路基板
８１ａ  回路基板の周縁部
８２  発熱電気部品
８３  通風孔
【図１】
2006108325.tif 000003
【図２】
2006108325.tif 000004
【図３】
2006108325.tif 000005
【図４】
2006108325.tif 000006
【図５】
2006108325.tif 000007
【図６】
2006108325.tif 000008
【図７】
2006108325.tif 000009
【図８】
2006108325.tif 000010
【図９】
2006108325.tif 000011
【図１０】
2006108325.tif 000012
【図１１】
2006108325.tif 000013